(57)【要約】【課題】  天板を移動させることなく心臓マッサージを行うことが可能なＸ線撮影用の検診台およびＸ線撮影装置を提供する。【解決手段】  検診台１０は、天板１１と、天板１１を支持する基台１２と、天板１１をその長手方向に移動させる移動機構と、天板１１が撮影位置に配置されているときに、天板１１上に載置された被検者Ｍの胸部位置を下側から支持する支持位置と、基台１２内に収納される退避位置との間で移動可能な天板支持部２０を、天板１１における被検者Ｍの載置面の下方に配設した天板補強機構を備える。【選択図】        図２
2016168064.tif 000002
【特許請求の範囲】
【請求項１】
被検者を載置する天板と、前記天板を移動可能に支持する基台と、を有するＸ線撮影用の検診台において、
前記天板の長手方向に沿って移動可能な天板支持部を前記天板の下方に配設した天板補強機構を備えることを特徴とするＸ線撮影用の検診台。
【請求項２】
請求項１に記載のＸ線撮影用の検診台において、
前記基台には前記天板支持部を収容する収納部が設けられることを特徴とするＸ線撮影用の検診台。
【請求項３】
請求項２に記載のＸ線撮影用の検診台において、
前記天板支持部は、上面が前記天板の裏面に近接配置される支持板と、支持板を支持するとともに前記天板支持部の移動を補助するための車輪が配設された台車とから成り、
前記天板補強機構は、前記基台から前記天板の長手方向に沿って設けられた前記天板支持部の移動を案内するためのガイド部材をさらに備えるＸ線撮影用の検診台。
【請求項４】
請求項３に記載のＸ線撮影用の検診台において、
前記天板支持部の前記台車の側面には使用者が前記基台から前記天板支持部を引き出すために把持する持ち手が配設されているＸ線撮影用の検診台。
【請求項５】
請求項３に記載のＸ線撮影用の検診台において、
前記天板補強機構は、モータと、前記モータからの動力を伝達するために前記天板支持部の前記台車の車軸に接続される動力伝達部材と、前記モータの駆動を使用者が操作して前記天板支持部の移動を制御するコントローラと、をさらに備えるＸ線撮影用の検診台。
【請求項６】
請求項２に記載のＸ線撮影用の検診台において、
前記天板の内部には、前記天板の長手方向に前記天板支持部を移動可能に収納するとともに前記天板の下面側であって長手方向に開口が設けられた収納部が形成され、
前記天板支持部は、前記収納部に収容される支持板と、前記支持板の下面側に配設された前記支持板の前記収納部内での移動を補助する車輪と、前記支持板の下面側に前記収納部の前記開口から下側に突出させて配設された使用者が前記収納部内で前記支持板を移動させるために把持する持ち手と、をさらに備えるＸ線撮影用の検診台。
【請求項７】
Ｘ線管と、前記Ｘ線管から照射され被検者を透過したＸ線を検出するＸ線検出器と、前記Ｘ線管と前記Ｘ線検出器とを互いに対向配置させかつ相対移動可能に保持するＣ型アームを有するＸ線撮影装置であって、
請求項１から請求項６のいずれかに記載のＸ線撮影用の検診台を備えるＸ線撮影装置。
【発明の詳細な説明】
【技術分野】
【０００１】
この発明は、Ｘ線撮影時に被検者を載置する天板を有するＸ線撮影用の検診台、および、Ｘ線撮影装置に関する。
【背景技術】
【０００２】
このようなＸ線撮影用の検診台は、Ｘ線管とＸ線検出器との間に被検者を配置するために、被検者を載置した天板を水平方向に移動させる機構を備えている（特許文献１および特許文献２参照）。
【０００３】
図８は、従来のＸ線撮影用の検診台１１０を示す概要図である。図８（ａ）は、天板１１１をＸ線撮影位置に移動させて被検者Ｍの胸部を撮影している様子を模式的に示す正面図であり、図８（ｂ）は、天板１１１の移動の様子を模式的に示す平面図である。
【０００４】
図８（ａ）に示すように、Ｘ線透視・撮影を行うときには、被検者Ｍを載置した状態の天板１１１を、基台１１２に支えられている位置からＸ線管を有するＸ線照射部３１とＸ線検出器３２との間に水平移動させている。天板１１１はＸ線の吸収が少ない炭素繊維樹脂などから形成され、その厚みはＸ線透過の妨げとならない厚みとされている。そして、Ｘ線管から照射されたＸ線は、天板１１１と被検者Ｍを透過して、Ｘ線検出器３２により検出される。
【先行技術文献】
【特許文献】
【０００５】
【特許文献１】特開２０００−９３４２６号公報
【特許文献２】特開２００１−１９０５２８号公報
【発明の開示】
【発明が解決しようとする課題】
【０００６】
ところで、ＩＶＲ（Iｎｔｅｒｖｅｎｔｉｏｎａｌ  Ｒａｄｉｏｌｏｇｙ）では、天板１１１上に横たわった被検者Ｍに対して、医師がＸ線透視画像を見ながら様々な治療を行っている。このように、ＩＶＲはＸ線透視・撮影をしながらの治療であるため、図８（ａ）に示すように天板１１１が撮影位置に配置されているときには、治療中の被検者Ｍの撮影領域（例えば、胸部）の下には天板１１１以外の支えがない状態である。このような状態で、治療中に被検者が心肺停止に到り心臓マッサージなどの心肺蘇生法（ＣＰＲ：ＣａｒｄｉｏＰｕｌｍｏｎａｒｙ  Ｒｅｓｕｓｃｉｔａｔｉｏｎ）を行う必要が生じた場合、そのまま心臓マッサージを開始すると、荷重を受けた天板１１１が大きく撓み、さらには、そのときの荷重に耐えられずに天板１１１が破損する恐れもある。
【０００７】
このため、従来では、図８（ａ）および（ｂ）に示すように、心臓マッサージを行う場合には、被検者Ｍの胸部が基台１１２の直上となるように、天板１１１を仮想線で示す位置まで移動させている。ＣＰＲを実施する状況では、天板１１１を短時間で移動できることが求められるが、Ｘ線管を有するＸ線照射部３１、Ｘ線検出器３２、これらを支持するＣ型アームなどの支持部材、および、天板１１１との位置関係によっては、複雑な動作が必要となり天板１１１の移動に時間がかかってしまう場合がある。また、天板１１１には被検者Ｍが載置された状態であるため、天板１１１の移動速度も被検者Ｍに配慮したゆっくりとした速度となる。このため、早急な処置が必要であるにも関わらず、心臓マッサージの開始が天板１１１の移動時間の分、遅れることになる。
【０００８】
一方で、天板１１１に心臓マッサージ時の荷重に耐えられる強度を持たせるために天板１１１の厚みを単純に厚くすることは、Ｘ線透視・撮影が行えるＸ線透過性を担保することが困難となるため、採用できない。
【０００９】
この発明は上記課題を解決するためになされたものであり、天板を移動させることなく心臓マッサージを行うことが可能なＸ線撮影用の検診台およびＸ線撮影装置を提供することを目的とする。
【課題を解決するための手段】
【００１０】
請求項１に記載の発明は、被検者を載置する天板と、前記天板を移動可能に支持する基台と、を有するＸ線撮影用の検診台において、前記天板の長手方向に沿って移動可能な天板支持部を前記天板の下方に配設した天板補強機構を備えることを特徴とする。
【００１１】
請求項２に記載の発明は、請求項１に記載の発明において、前記基台には前記天板支持部を収容する収納部が設けられることを特徴とする。
【００１２】
請求項３に記載の発明は、請求項２に記載の発明において、前記天板支持部は、上面が前記天板の裏面に近接配置される支持板と、支持板を支持するとともに前記天板支持部の移動を補助するための車輪が配設された台車とから成り、前記天板補強機構は、前記基台から前記天板の長手方向に沿って設けられた前記天板支持部の移動を案内するためのガイド部材をさらに備える。
【００１３】
請求項４に記載の発明は、請求項３に記載の発明において、前記天板支持部の前記台車の側面には使用者が前記基台から前記天板支持部を引き出すために把持する持ち手が配設されている。
【００１４】
請求項５に記載の発明は、請求項３に記載の発明において、前記天板補強機構は、モータと、前記モータからの動力を伝達するために前記天板支持部の前記台車の車軸に接続される動力伝達部材と、前記モータの駆動を使用者が操作して前記天板支持部の移動を制御するコントローラと、をさらに備える。
【００１５】
請求項６に記載の発明は、請求項２に記載の発明において、前記天板の内部には、前記天板の長手方向に前記天板支持部を移動可能に収納するとともに前記天板の下面側であって長手方向に開口が設けられた収納部が形成され、前記天板支持部は、前記収納部に収容される支持板と、前記支持板の下面側に配設された前記支持板の前記収納部内での移動を補助する車輪と、前記支持板の下面側に前記収納部の前記開口から下側に突出させて配設された使用者が前記収納部内で前記支持板を移動させるために把持する持ち手と、をさらに備える。
【００１６】
請求項７に記載の発明は、Ｘ線管と、前記Ｘ線管から照射され被検者を透過したＸ線を検出するＸ線検出器と、前記Ｘ線管と前記Ｘ線検出器とを互いに対向配置させかつ相対移動可能に保持するＣ型アームを有するＸ線撮影装置であって、請求項１から請求項６のいずれかに記載のＸ線撮影用の検診台を備える。
【発明の効果】
【００１７】
請求項１から請求項７に記載の発明によれば、天板の長手方向に沿って移動可能な天板支持部を、天板の下方に配設した天板補強機構を備えることから、ＩＶＲのために天板がＸ線の撮影位置に移動している状態で被検者に心臓マッサージ等のＣＰＲを行う必要が生じたときには、ＣＰＲ時に加えられる荷重に対して天板が耐え得るようにするための天板支持部を、被検者の胸部位置の下側に速やかに配置することが可能となる。
【００１８】
請求項３に記載の発明によれば、基台に収納した天板支持部をガイド部材に沿って移動させることができることから、天板支持部を被検者の胸部位置の下側に迅速かつ容易に移動させることが可能となる。
【００１９】
請求項４に記載の発明によれば、天板支持部の台車に持ち手を設けたことにより、使用者は、天板支持部を収納部から容易に取り出すことが可能となる。
【００２０】
請求項５に記載の発明によれば、天板支持部を電動により移動させることから、使用者が基台の収納部から天板支持部を取り出すのに屈む必要がなく、天板支持部の移動をより容易に実行させることが可能となる。
【００２１】
請求項６に記載の発明によれば、天板支持部を天板における被検者の載置面の下側となる天板内部に移動可能に配設したことから、被検者に心臓マッサージ等のＣＰＲを行う必要が生じたときなどの必要に応じて、天板自体の強度を天板支持部により部分的に補強することが容易に可能となる。
【図面の簡単な説明】
【００２２】
【図１】この発明に係るＸ線撮影装置の概要図である。
【図２】第１実施形態に係るＸ線撮影用の検診台１０を示す概要図である。
【図３】第１実施形態に係るＸ線撮影用の検診台１０を示す概要図である。
【図４】第２実施形態に係るＸ線撮影用の検診台４０を示す概要図である。
【図５】第３実施形態に係るＸ線撮影用の検診台６０を示す概要図である。
【図６】図５の天板６１のＡ−Ａ断面図である。
【図７】天板支持部７０の斜視図である。
【図８】従来のＸ線撮影用の検診台１１０を示す概要図である。
【発明を実施するための形態】
【００２３】
以下、この発明の実施の形態を図面に基づいて説明する。図１は、この発明に係るＸ線撮影装置の概要図である。
【００２４】
このＸ線撮影装置は、Ｘ線管とコリメータとを備えたＸ線照射部３１と、Ｘ線照射部３１から照射されて検診台１０に横たわった被検者Ｍを通過したＸ線を検出するＸ線検出器３２と、これらのＸ線照射部３１およびＸ線検出器３２を支持するＣ型アーム３３と、このＣ型アーム３３をスライド可能に支持する支持部３４と、この支持部３４を旋回させる旋回部３５と、この旋回部３５を床面に対して立設した状態で支持する支持部３６とを備える。なお、Ｘ線検出器３２としては、フラットパネルディテクタ（ＦＰＤ）やイメージインテンシファイヤ（Ｉ．Ｉ）などを採用することができる。
【００２５】
Ｃ型アーム３３には、円弧状の案内部３７が形成されており、支持部３４は、この案内部３７と係合することにより、Ｃ型アーム３３をスライド可能に支持している。そして、Ｃ型アーム３３は、Ｘ線照射部３１とＸ線検出器３２とを、Ｘ線照射部３１におけるＸ線管の焦点からＸ線検出器３２に至るＸ線の軸線が、案内部３７を形成する円弧の直径と一致する状態で支持している。また、旋回部３５は、支持部３４をＣ型アーム３３等とともに、Ｘ線照射部３１からＸ線検出器３２に至るＸ線の軸線と直交する軸を中心に旋回させる。
【００２６】
このような構成を有するＸ線撮影装置においては、Ｃ型アーム３３をスライドおよび旋回させることにより、Ｘ線照射部３１とＸ線検出器３２とを互いに対向配置させかつ相対移動させることができる。このため、被検者Ｍに対して任意の方向から透視または撮影を実行することが可能となる。そして、被検者Ｍを通過しＸ線検出器３２で検出されたＸ線に基づくＸ線画像は、図示を省略した表示部に表示される。
【００２７】
図２および図３は、第１実施形態に係るＸ線撮影用の検診台１０の構成を示す概要図である。図２は、天板支持部２０を支持位置と退避位置との間で移動させる様子を示す正面図であり、図３は、検診台１０の分解斜視図である。なお、各図において、説明の便宜上、天板１１を移動させる移動機構の図示を省略している。
【００２８】
この検診台１０は、天板１１と、天板１１を支持する柱状の基台１２と、天板１１をその長手方向（図２における左右方向）に移動させる移動機構と、天板１１が撮影位置に配置されているときに、天板１１上に載置された被検者Ｍの胸部位置を下側から支持する支持位置と、基台１２内に収納される退避位置との間で移動可能な天板支持部２０を、天板１１における被検者Ｍの載置面の下方に配設した天板補強機構を備える。
【００２９】
この天板補強機構は、天板１１の長手方向に沿って移動可能に配設された天板支持部２０を備える。天板支持部２０は、天板１１の下面側に近接配置される支持板２１と、支持板２１を支持するとともに車輪２３が取り付けられた台車２２とを有する。台車２２の天板支持部２０の移動方向を向く側面には持ち手２９が取り付けられている。そして、台車２２は、天板支持部２０の移動を案内するためのガイド部材として床面に付設された一対のレール１５に沿って、天板１１の長手方向に移動可能となっている。なお、ガイド部材としては、車輪溝が形成された一対のレール１５に代えて、スライドレールにより台車２２と基台１２とを接続することで天板支持部２０の移動を案内させるようにしてもよい。
【００３０】
基台１２には、天板支持部２０を収容する収納部１４が設けられている。このように、この実施形態においては、基台１２内に天板支持部２０を配設したことで、天板１１が撮影位置に移動した状態で医師による施術を受けている被検者Ｍに心臓マッサージ等のＣＰＲを行う必要が生じたときには、天板１１の下面側から被検者Ｍの胸部位置を支持させるために、使用者が天板支持部２０を被検者Ｍの胸部位置の下側に速やかに配置できる。また、天板支持部２０の台車２２には持ち手２９が取り付けられているため、使用者による天板支持部２０の引き出しが容易に行えるとともに、車輪２３と一対のレール１５により、天板支持部２０を、収納部１４に収納されている退避位置から、被検者Ｍの胸部位置を天板１１の下面から支持する支持位置に移動させることが容易に行える。
【００３１】
天板支持部２０の支持板２１は、天板１１の被検者Ｍの載置面とは逆側となる下面側に近接配置される。この天板１１の下面と支持板２１の上面との間には、天板支持部２０が退避位置から支持位置に移動するとき、および、支持位置から退避位置に移動するときに、支持板２１の上面が天板１１の下面に接触して天板支持部２０の移動の妨げにならない程度の隙間が設けられている。一方で、天板１１は、軽量なＸ線透過性材料である炭素繊維樹脂などにより形成されていることから、医師が被検者Ｍへ心臓マッサージを行うときの荷重を天板１１が受けると、天板１１は荷重方向である下方に撓むことになる。このときの撓みにより天板１１の下面が支持板２１の上面に当接することで、天板支持部２０により荷重が受けとめられ、被検者Ｍの胸部位置が天板支持部２０により天板１１の下面から支持される。したがって、天板１１を移動させることなく心臓マッサージなどのＣＰＲを行うことが可能となる。
【００３２】
図４は、第２実施形態に係るＸ線撮影用の検診台４０を示す概要図である。なお、第１実施形態に係るＸ線撮影用の検診台１０と同様の構成については、同一の符号を付して詳細な説明を省略する。
【００３３】
この検診台４０は、第１実施形態の検診台１０とは異なり、持ち手２９がない天板支持部５０が配設された天板補強機構を備える。すなわち、第１実施形態では、台車２２に持ち手２９を設けることで、使用者が手動で天板支持部２０を取り出すようにしていたが、この第２実施形態に係る検診台４０では、電動で天板支持部５０を移動させるようにしている。
【００３４】
この天板補強機構は、天板支持部５０を移動させる動力源であるモータ４３と、モータ４３からの動力を伝達するために天板支持部５０の台車２２の車軸にスプロケットを介して巻回された動力伝達部材としてのチェーン４１と、モータ４３の駆動を使用者が操作して天板支持部５０の移動を制御するコントローラ４４とを備える。
【００３５】
チェーン４１はモータ４３の回転軸に接続されたギア４２にも巻回され、モータ４３の回転が、天板支持部５０を移動させる動力として台車２２の車軸に伝達される。これにより、天板支持部５０はモータ４３の駆動により収納部１４に収納される退避位置と、被検者Ｍの胸部位置を天板１１の下面から支持する支持位置との間を移動可能となっている。なお、この実施形態では動力伝達部材としてチェーン４１を採用しているが、タイミングベルトなどの伝動ベルトを採用してもよい。
【００３６】
コントローラ４４は、ケーブルを介してモータ４３に接続されており、コントローラ４４には、使用者が操作することによりモータ４３に起動（ＯＮ）・停止（ＯＦＦ）用信号と、モータ４３に正方向用（ＣＷ）、負方向用（ＣＣＷ）の各回転指令信号を与える複数の操作用のボタンが設けられている。使用者が天板支持部５０の移動動作に対応付けられたボタンを操作することにより、天板支持部５０の退避位置から支持位置への移動と、支持位置から退避位置への移動が実行される。なお、天板１１の移動速度が被検者Ｍを考慮した速度となっているのに対し、天板支持部５０の移動速度は、天板１１の移動速度よりも速い速度となる。
【００３７】
この実施形態では、第１実施形態の検診台１０と同様に、基台１２内に天板支持部５０を配設しているので、天板１１が撮影位置に移動した状態で医師による施術を受けている被検者Ｍに心臓マッサージ等のＣＰＲを行う必要が生じたときには、天板１１の下面側から被検者Ｍの胸部位置を支持させるために、使用者が天板支持部２０を被検者Ｍの胸部位置の下側に速やかに配置できる。また、第１実施形態の検診台１０とは異なりこの実施形態では、使用者はコントローラ４４を操作することで天板支持部５０を移動させることができるため、天板支持部５０を基台１２から引き出すのに屈む必要がなく、被検者Ｍの胸部位置を天板１１の下面から支持する支持位置に天板支持部５０を移動させることが、さらに容易に行える。
【００３８】
図５は、第３実施形態に係るＸ線撮影用の検診台６０を示す概要図である。図６は、図５のＡ−Ａ断面図である。図７は、天板支持部７０の斜視図である。なお、第１実施形態に係るＸ線撮影用の検診台１０と同様の構成については、同一の符号を付して詳細な説明を省略する。
【００３９】
この検診台６０は、天板６１と、基台６２と、天板支持部７０を備える。そして、上述した第１実施形態の検診台１０および第２実施形態の検診台４０では、基台１２に天板支持部２０、天板支持部５０の収納部１４が設けられていたのに対し、この検診台６０では、天板６１の被検者Ｍの載置面とは逆側となる下面に、天板６１の長手方向に天板支持部７０を移動可能に収納する収納部６４が設けられている。この実施形態において、天板支持部７０と収納部６４は、天板６１における被検者Ｍの載置面の下方に配設した天板補強機構を構成する。
【００４０】
天板支持部７０は、収納部６４に収容される支持板７１と、支持板７１の下面側に配設された支持板７１の収納部６４内での移動を補助する車輪７３と、支持板７１の下面側に持ち手７９と、を備える。
【００４１】
収納部６４は、天板６１の長手方向に形成され、天板６１の下面側には、スリット状の開口が設けられている。この開口からは持ち手７９が下側に向かって突出しており、この持ち手７９は、図４に仮想線で示す基台６２の上に天板支持部７０がある退避位置から、実線で示す被検者Ｍの胸部位置を下側から支持する支持位置に移動させるときに、使用者により把持される。
【００４２】
この実施形態では、天板６１の被検者の載置面の下方であって、天板６１の内部に天板支持部７０を移動可能に配設したことで、天板６１が撮影位置に移動した状態で医師による施術を受けている被検者Ｍに心臓マッサージ等のＣＰＲを行う必要が生じたときには、天板支持部７０を速やかに被検者Ｍの胸部位置を下側から支持する支持位置に移動させことができる。また、天板６１の内部に天板支持部７０を配設したことで、ＣＰＲ時に天板６１に最も荷重がかかる位置で、天板支持部７０が天板６１自体の強度を部分的に補強する役割を担うことになる。天板支持部７０は、使用しないときは、Ｘ線透視・撮影の妨げとならない退避位置に配置していることから、天板６１がＸ線透過性材料である炭素繊維樹脂などで構成されているのに対し、天板支持部７０を構成する部材は、より硬さのある材質（例えば、木製の板）で形成している。このため、天板６１に医師が被検者Ｍへ心臓マッサージを行うときの荷重が加えられると、支持位置に配置された天板支持部７０の支持板７１に荷重が受け止められ、天板６１が破損するほどに撓むことがない。したがって、天板６１を移動させることなく心臓マッサージなどのＣＰＲを行うことが可能となる。
【符号の説明】
【００４３】
１０      検診台
１１      天板
１２      基台
１４      収納部
１５      レール
２０      天板保持部
２１      支持板
２２      台車
２３      車輪
２９      持ち手
３１      Ｘ線照射部
３２      Ｘ線検出器
３３      Ｃ型アーム
４０      検診台
４１      チェーン
４２      ギア
４３      モータ
４４      コントローラ
５０      天板保持部
６０      検診台
６４      収納部
７０      天板保持部
７１      支持板
７３      車輪
７９      持ち手
【図１】
2016168064.tif 000003
【図２】
2016168064.tif 000004
【図３】
2016168064.tif 000005
【図４】
2016168064.tif 000006
【図５】
2016168064.tif 000007
【図６】
2016168064.tif 000008
【図７】
2016168064.tif 000009
【図８】
2016168064.tif 000010